(57)【要約】      （修正有）【課題】本考案は回収網に、生ゴミ、雑排水が確実に入る事、回収器の設置及び回収器の引き上げが容易であり、回収物の処理が簡単に行なえる事を課題とした。【解決手段】（イ）排水導入板をバスケット受け板に乗せ、回収器を特定の角度にし、溝穴と回収器を、リベットで固定して、導入立板を設ける事で、回収網に、生ゴミ、雑排水が確実に入る様にして、（ロ）回収器全体を固定する為、固定バンドを、支切り板１４の上に被せ、柄を右に廻し回収器と柄を固定した後固定バンドのネジを締め固定して、その後の回収及び取り付け作業は、握り手８で柄を締め又は緩める事のみで行い、（ハ）回収網の脱着は串針に引っ掛け又外す事で行う。【選択図】図４
0003109722.tif 000002
【実用新案登録請求の範囲】
【請求項１】
生ゴミ回収器本体の四角に串針、前部に排水導入板を設けるとともに、可動する柄と固定バンドを設け、油水分離槽での脱着を自在としたところを特徴とする可動式生ゴミ回収器
【考案の詳細な説明】
【技術分野】
【０００１】  本考案は、排水パイプから流れ出る、生ゴミ、残飯、雑排水が、油水分離槽に流れ込む手前に、生ゴミ回収器を設置し、回収網により回収する回収器機に関するものである。
【背景技術】
【０００２】  従来のバスケット型の回収器は枡型のステンレス製で、排水パイプ、排水溝の形状、油水分離槽の寸法に合せて、各々の回収器を製作しなければならない又生ゴミ、残飯等により水抜きの穴が目詰りを起こし箱と成ってしまい、本来の役目をしなくなる、回収作業では、汚い、重い、臭い、さらに回収バスケットの洗浄に時間がかかり、作業者の負担が非常に大きい。
【考案の開示】
【考案が解決しようとする課題】
【０００３】  本考案は、生ゴミ、残飯の入った回収器を楽に引き上げる事が出来、回収器の清掃を不要とし、回収器の設置が簡単に出来る機器を開発するもので、前述の回収、洗浄、設置、脱着等の、作業負担及び作業時間の欠点を解決しようとするものである
【課題を解決するための手段】
【０００４】（１）図４に示す、角度調整排水導入板の長方形溝穴（２）は９０°の角度まで可動出来、図１の回収器本体には溝穴（２）と、リベットで固定する下穴を３ヶ所設けておき、生ゴミ、雑排水が回収器に入り易い角度にして固定する。又図４の（３）の立板を設ける事により、生ゴミ、雑排水を回収網に導き入れる事が出きる。（２）図１の（９）の柄の下部にネジを溶接固定する、図１の（６）の可動部パイプの中心に、ネジ径より少し大き目の穴を設け、穴の上部にネジに勘合するナットを溶接固定する、柄のネジをナットに廻し込む事で、ネジの先端が可動部の穴を通過し、回収器本体と随意の角度で固定出来る。（３）図１の（１０）のスライド式の固定バンドを柄の部分に設け、柄と支切板を固定する事で、回収器全体を固定できる様にした。（４）図１の（４）の串針を、回収器の四角に溶接固定し、回収網を刺す事で固定する
【考案の効果】
【０００５】（イ）従来型は油水分離槽の、寸法、形状、排水口の位置が各々違うので、バスケットの製作、設置に手間がかかっていたが、本考案は寸法、形状、位置に関係なく排水導入板と柄と固定バンドを調整し、柄を締めるだけで設置でき、大巾な設置工事の時間短縮となる（ロ）従来のバスケット型の回収器は、目詰りを起し、重くて引上げ難い、尚回収後に必ず洗浄をしなければならず、作業者は汚い、臭い、時間がかかるなど労働負担が大きい、本考案は回収した網ごとゴミ袋に捨て処分する、又新しい網の取り付けは、串針に引っ掛けるだけなので、作業時間の短縮、負担の経減など、上記の問題を解決できる。
【考案の実施するための最良の形態】
【０００６】図４の（１２）のバスケット受板に、排水導入板を乗せ回収器の開口部を、雑排水が入り易い角度に立てる事で、確実に生ゴミ、残飯を回収する。柄部の握り手の位置を、油水分離槽のフタの近くにもって来る事で回収作業時握り手から楽に引き上げる事が出来、握り手と回収器と網が一直線に成るので、軽く引き上げられる。回収した網は四角の串針より外す事で回収器より外れる、それをゴミ袋に入れ処分し、そして新しい回収網を串針に刺し固定する。
【実施例】
【０００７】以下添付図面に従って実施例を説明する、図３の排水導入板の両端を立板にする事で強度が増す、そしてこの高さは雑排水がパイプから一度に流れ出て来ても、両サイドにこぼれない高さにする、高さはパイプ直径の８０％程度が良い、又回収器全体が左右にズレても、パイプの端で止まるので雑排水がこぼれる事は無い。図３の（２）は、９０度の角度が得られる長方形の溝穴を開けておき、回収器側には、リベットの固定用下穴を設ける、これは排水導入板に対して、回収器が９０度の範囲内で随意の角度で固定出来るものである図１の（６）の可動部は、二重パイプとし図１の（５）の位置に横ズレ防止用のピンを左右に設ける。可動パイプの中心に１２ｍｍの穴を開け、その穴の上部にＭ８のナットを溶接する。図１の（９）の柄の下部にＭ８のボルトを溶接する。この柄のネジを可動部のナットに廻し込むと、ボルトの先端が可動部の穴を通過して回収器と柄が随意の角度で固定出来る。図１の（１０）は支切板固定バンドで、回収器の柄に設けスライド出来る、このバンドを支切板に固定し柄側も固定する事で、回収器全体が固定出来る。図１の（４）の串針は２ｃｍの長さで先端を針状にし回収器の四角に溶接する。【０００８】図４に従って取付けの実施例を説明する。（１２）のバスケット受け板に排水導入板を乗せ、回収器に雑排水が入る角度を決定し、下穴と溝穴をリベットで３ヵ所固定する。次に（１０）の固定バンドを支切板の上部に被せ、そして柄を右に廻し回収器と柄を固定させる。そしてバンドを固定ネジで締める。この事で回収器全体が固定出来設置完了となる。次に回収網の脱着について説明する。回収網を引き上げる時は（８）の握り手を左に廻し回収器と柄を少し緩めて引き上げると、（７）と（８）と（１１）の回収網が一直線に成り引き上げ易い、回収網を外すには、回収器の四角の串針に引っ掛けてある網を外すと、回収器から離れ落る。回収網はゴミ袋により処分する、又新しい回収網の取り付けは、串針に引っ掛ける事で行う、そして上記の要領で元の位置に取り付ける
【産業上の利用可能性】
【０００９】本考案は飲食関係の店舗施設に必ず設置しなければならない油水分離槽のバスケット型の回収器の、回収作業の欠点を大きく改善し、作業者の負担を少なく出来る、又ガソリンスタンド、スーパー、工場等、異物による排水パイプの詰りを防止出来る、回収が簡単ゆえ日々の回収をする事により、生ゴミ等による排水汚濁を防止し排水環境を良くしていく事が出来る。
【図面の簡単な説明】
【００１０】
【図１】本考案の斜視図
【図２】本考案の固定用バンドの正面図
【図３】本考案の排水導入板の斜視図
【図４】本考案の実施例に示す回収器と油水分離槽の側面図
【符号の説明】
【００１１】    １．排水導入板    ２．溝穴    ３．導入立板    ４．串針    ５．横ズレ防止ピン    ６．可動部    ７．回収器    ８．握り手    ９．柄    １０．固定バンド    １１．回収ネット    １２．バスケット受板    １３．固定ナット    １４．支切り板
【図１】
0003109722.tif 000003
【図２】
0003109722.tif 000004
【図３】
0003109722.tif 000005
【図４】
0003109722.tif 000006